(57)【要約】【課題】車両や各種電気製品等の各種装置に組み込まれるワイヤーハーネスのような長尺柔構造物において、各種装置に組み込まれたときの長尺柔構造物の装着形態の解析を、安定した解析精度で、解析時間を短縮することが可能な長尺柔構造物のシミュレーションシステム、シミュレーション方法、プログラム及び情報記録媒体を提供する。【解決手段】シミュレーションシステム１０は、モデル解析部１４を備え、モデル解析部１４は、初初期形状の情報、剛性値、及び境界条件情報に基づいて、絶対節点座標法を利用した解析モデルにより、ワイヤーハーネスが各種装置に装着されたときの応力が最小となるような形状を算出する。【選択図】図２
2008234039.tif 000002
【特許請求の範囲】
【請求項１】
２次元空間上に展開された、長尺柔構造部材及び複数本の前記長尺柔構造部材の組合せ部材である長尺柔構造物を、使用空間である３次元空間上に復元する長尺柔構造物のシミュレーションシステムであって、
前記長尺柔構造物の固定点における固定条件情報を取得し、取得した前記固定条件情報に基づいて、初期形状を算出する初期形状算出手段と、
前記長尺柔構造物の剛性値を取得し、取得した前記剛性値を所定の記憶部に設定する剛性設定手段と、
３次元空間上に復元されたときの前記長尺柔構造物の境界条件情報を取得し、取得した前記境界条件情報を所定の前記記憶部に設定する境界条件設定手段と、
前記初期形状算出手段により算出された前記初期形状、前記剛性設定手段により設定された前記剛性値、及び、前記境界条件設定手段により設定された前記境界条件情報に基づいて、複数の節点と前記節点の一部を構成する固定点とを用いて解析を行う絶対節点座標法を利用した解析モデルにより、前記３次元空間上の前記長尺柔構造物の応力が最小となる形状を算出するとともに、算出された形状の応力分布、トルク、ねじれ状況、及び部品反力値を算出するモデル解析手段と、
前記モデル解析手段によって算出された３次元空間上の前記長尺柔構造物の形状、応力分布、トルク、ねじれ状況、及び部品反力値を出力する出力手段と、
を備えていることを特徴とする長尺柔構造物のシミュレーションシステム。
【請求項２】
前記初期形状手段は、絶対座標で表された前記固定条件情報を満足するように、連続的な曲線を形成することで前記初期形状を規定することを特徴とする請求項１に記載の長尺柔構造物のシミュレーションシステム。
【請求項３】
前記節点の近似値は、収束計算にて算出することとし、２個の前記節点間に形成されるセグメント及びどちらか一方の前記節点を、前記剛性値に基づいて複数個のグループに分類し、
前記収束計算は、前記剛性値のより高い前記グループに属する前記節点の座標の収束条件を優先して近似値を算出する計算を、前回算出した近似値を次回の初期値として、複数回実行し、全ての前記グループに属する前記節点の座標の収束条件を満足する近似値を算出することを特徴とする請求項１または２に記載の長尺柔構造物のシミュレーションシステム。
【請求項４】
前記モデル解析手段は、前記長尺柔構造物を複数個のばねの集合体であると定義するばねモデルに基づいて、前記ばねを前記セグメントとし、前記ばねの両端を前記節点とし、複数本の前記長尺柔構造部材の接合部を分岐点とするとともに、前記節点を、前記分岐点、前記長尺柔構造物の前記剛性値の変化点、及び前記長尺柔構造物における所定の間隔点であるとしたとき、
前記セグメントの張力、曲げモーメント力、ねじりモーメント力、及び当該セグメントにかかる外荷重の関係式と、
前記分岐点にかかる曲げモーメント力及びねじりモーメント力の関係式と、
に基づいて、前記節点の近似値を算出することを特徴とする請求項３項に記載の長尺柔構造物のシミュレーションシステム。
【請求項５】
２次元空間上に展開された、長尺柔構造部材及び複数本の前記長尺柔構造部材の組合せ部材である長尺柔構造物を、使用空間である３次元空間上に復元する長尺柔構造物のシミュレーション方法であって、
（ａ）前記長尺柔構造物の固定点における固定条件情報を取得し、取得した前記固定条件情報に基づいて、初期形状を算出する初期形状算出工程と、
（ｂ）前記長尺柔構造物の剛性値を取得し、取得した前記剛性値を所定の記憶部に設定する剛性設定工程と、
（ｃ）３次元空間上に復元されたときの前記長尺柔構造物の境界条件情報を取得し、取得した前記境界条件情報を所定の前記記憶部に設定する境界条件設定工程と、
（ｄ）前記初期形状算出工程（ａ）により算出された前記初期形状、前記剛性設定工程（ｂ）により設定された前記剛性値、及び、前記境界条件設定工程（ｃ）により設定された前記境界条件情報に基づいて、複数の節点と前記節点の一部を構成する固定点とを用いて解析を行う絶対節点座標法を利用した解析モデルにより、前記３次元空間上の前記長尺柔構造物の応力が最小となる形状を算出するとともに、算出された形状の応力分布、トルク、ねじれ状況、及び部品反力値を算出するモデル解析工程と、
（ｅ）前記モデル解析工程（ｄ）によって算出された３次元空間上の前記長尺柔構造物の形状、応力分布、トルク、ねじれ状況、及び部品反力値を出力する出力工程と、
を備えていることを特徴とする長尺柔構造物のシミュレーション方法。
【請求項６】
前記初期形状工程（ａ）は、絶対座標で表された前記固定条件情報を満足するように、連続的な曲線を形成することで前記初期形状を規定することを特徴とする請求項５に記載の長尺柔構造物のシミュレーション方法。
【請求項７】
前記節点の近似値は、収束計算にて算出することとし、２個の前記節点間に形成されるセグメント及びどちらか一方の前記節点を、前記剛性値に基づいて複数個のグループに分類し、
前記収束計算は、前記剛性値のより高い前記グループに属する前記節点の座標の収束条件を優先して近似値を算出する計算を、前回算出した近似値を次回の初期値として、複数回実行し、全ての前記グループに属する前記節点の座標の収束条件を満足する近似値を算出することを特徴とする請求項５または６に記載の長尺柔構造物のシミュレーション方法。
【請求項８】
前記モデル解析工程（ｄ）は、前記長尺柔構造物を複数個のばねの集合体であると定義するばねモデルに基づいて、前記ばねを前記セグメントとし、前記ばねの両端を前記節点とし、複数本の前記長尺柔構造部材の接合部を分岐点とするとともに、前記節点を、前記分岐点、前記長尺柔構造物の前記剛性値の変化点、及び前記長尺柔構造物における所定の間隔点であるとしたとき、
前記セグメントの張力、曲げモーメント力、ねじりモーメント力、及び当該セグメントにかかる外荷重の関係式と、
前記分岐点にかかる曲げモーメント力及びねじりモーメント力の関係式と、
に基づいて、前記節点の近似値を算出することを特徴とする請求項７に記載の長尺柔構造物のシミュレーション方法。
【請求項９】
２次元空間上に展開された、長尺柔構造部材及び複数本の前記長尺柔構造部材の組合せ部材である長尺柔構造物を、使用空間である３次元空間上に復元する長尺柔構造物のシミュレーション処理を、コンピュータに実行させるプログラムであって、
請求項１から４のいずれか1項に記載の長尺柔構造物のシミュレーションシステムの各手段を実現させる処理を前記コンピュータに実行させることを特徴とするプログラム。
【請求項１０】
２次元空間上に展開された、長尺柔構造部材及び複数本の前記長尺柔構造部材の組合せ部材である長尺柔構造物を、使用空間である３次元空間上に復元する長尺柔構造物のシミュレーション処理を、コンピュータに実行させるプログラムを記録した情報記録媒体であって、
請求項１から４のいずれか1項に記載の長尺柔構造物のシミュレーションシステムの各手段を実現させる処理を前記コンピュータに実行させることを特徴とするプログラムを記録した情報記録媒体。
【発明の詳細な説明】
【技術分野】
【０００１】
本発明は、長尺柔構造物のシミュレーションシステム、シミュレーション方法、プログラム及び情報記録媒体に関する。特に、車両や各種電気製品等の各種装置に組み込まれるワイヤーハーネスのような長尺柔構造物において、各種装置に組み込まれたときの長尺柔構造物の装着形態の解析を、安定した解析精度で、解析時間を短縮することが可能な長尺柔構造物のシミュレーションシステム、シミュレーション方法、プログラム及び情報記録媒体に関する。
【背景技術】
【０００２】
車両や各種電気製品等の各種装置に組み込まれる長尺柔構造物として、ワイヤーハーネス等がある。ワイヤーハーネスは、電線や情報回路をコンパクトに束ねた組み物で、フレキシブルな形態を持つという特徴がある。しかし、個々の電線の形態では自由度を持ってはいても、組み物となり、各種装置に、ワイヤーハーネスの部品や外装が取り付けられた状態では、曲げや捻りにも限界がある。
【０００３】
また、通常、ワイヤーハーネスを製造するときは、平面上で製作されるが、各種装置に装着されたときに予想した以上の逃げや捻りが生じて、製品として機能しなくなってしまう場合がある。そのため、従来から、ワイヤーハーネスの設計においては、試作が必要不可欠であった。しかし、試作による方法では、時間とコストがかかり、市場が要求する開発に迅速に対応できない。そこで、コンピュータの高速化や解析技術の進歩から、ワイヤーハーネスの設計における、様々な設計支援システムが提案されている。
【０００４】
特許文献１では、ワイヤーへーネスの３次元形状を２次元平面に展開する際に、展開後におけるワイヤーハーネスに生じた歪みが最小となり、しかも部品の取り付け位置を容易に把握することができるワイヤーハーネスの設計方法が提案されている。
【０００５】
また、２次元平面に展開されたワイヤーハーネスを３次元空間に復元したときのワイヤーハーネスの装着形態を、有限要素法を利用して解析する方法も提案されている。
【特許文献１】特開２００２−２３１０７４号公報
【発明の開示】
【発明が解決しようとする課題】
【０００６】
上述したような有限要素法は、相対変位を変数として解析する方法で、微少変形に対しては、有効な解析方法であるが、２次元平面に展開されたワイヤーハーネスを３次元空間に復元したときのワイヤーハーネスの装着形態を解析するような大変形の場合においては、初期値の与え方によって、収束性が悪くなり解析時間がかかってしまうという問題があった。
【０００７】
また、初期値の与え方によって、得られた解析結果が、製品として機能しなくなるような結果になってしまう場合もあった。即ち、解析を実行するユーザ（例えば、長年設計に携わっていたユーザと新人のユーザ）によって、解析精度にばらつきのある解析結果を出力してしまうという問題点もあった。
【０００８】
本発明は、以上のような問題点を解決するためになされたもので、車両や各種電気製品等の各種装置に組み込まれるワイヤーハーネスのような長尺柔構造物において、各種装置に組み込まれたときの長尺柔構造物の装着形態の解析を、安定した解析精度で、解析時間を短縮することが可能な長尺柔構造物のシミュレーションシステム、シミュレーション方法、プログラム及び情報記録媒体を提供することを目的とする。
【課題を解決するための手段】
【０００９】
上述した従来の問題点を解決すべく下記の発明を提供する。
【００１０】
本発明の第１の態様にかかる長尺柔構造物のシミュレーションシステムは、２次元空間上に展開された、長尺柔構造部材及び複数本の前記長尺柔構造部材の組合せ部材である長尺柔構造物を、使用空間である３次元空間上に復元する長尺柔構造物のシミュレーションシステムであって、前記長尺柔構造物の固定点における固定条件情報を取得し、取得した前記固定条件情報に基づいて、初期形状を算出する初期形状算出手段と、前記長尺柔構造物の剛性値を取得し、取得した前記剛性値を所定の記憶部に設定する剛性設定手段と、３次元空間上に復元されたときの前記長尺柔構造物の境界条件情報を取得し、取得した前記境界条件情報を所定の前記記憶部に設定する境界条件設定手段と、前記初期形状算出手段により算出された前記初期形状、前記剛性設定手段により設定された前記剛性値、及び、前記境界条件設定手段により設定された前記境界条件情報に基づいて、複数の節点と前記節点の一部を構成する固定点とを用いて解析を行う絶対節点座標法を利用した解析モデルにより、前記３次元空間上の前記長尺柔構造物の応力が最小となる形状を算出するとともに、算出された形状の応力分布、トルク、ねじれ状況、及び部品反力値を算出するモデル解析手段と、前記モデル解析手段によって算出された３次元空間上の前記長尺柔構造物の形状、応力分布、トルク、ねじれ状況、及び部品反力値を出力する出力手段と、を備えていることを特徴とする。
【００１１】
このような構成であれば、長尺柔構造物のシミュレーションシステムは、初期形状算出手段によって、長尺柔構造物の固定条件情報が取得され、取得された固定条件情報に基づいて、初期形状が算出される。また、剛性設定手段によって、長尺柔構造物の剛性値が取得され、取得された剛性値が所定の記憶部に設定される。
【００１２】
また、境界条件設定手段によって、３次元空間上に復元されたときの長尺柔構造物の境界条件情報が取得され、取得された境界条件情報が所定の記憶部に設定される。また、モデル解析手モデル解析手段によって、初期形状、剛性値、及び境界条件情報に基づいて、絶対節点座標法を利用した解析モデルにより、３次元空間上の長尺柔構造物の応力が最小となる形状が算出される。
【００１３】
また、算出された形状の応力分布、トルク、ねじれ状況、及び部品反力値も算出される。また、出力手段により、モデル解析手段によって算出された３次元空間上の長尺柔構造物の形状、応力分布、トルク、ねじれ状況、及び部品反力値が出力される。
【００１４】
これにより、３次元空間上の長尺柔構造物の形態を解析する解析時間を短縮することが可能である。また、解析精度にばらつきがなく、安定した解析結果を得ることが可能である。即ち、ユーザのスキルにかかわらず、即ち、長尺柔構造物の設計に長年携わっていたユーザであっても、新人のユーザであっても、解析することが可能である。
【００１５】
従って、長尺柔構造物（例えば、ワイヤーハーネス）の設計において、試作を実行せずに、製品成立性の検証を実行することが可能である。また、試作製品に対する測定が難しかった、各種応力解析値や捻り状態を設計検証することが可能になり、設計精度を向上させることが可能である。また、長尺柔構造物の設計工数を短縮することが可能であり、それによる設計コストを削減することが可能である。
【００１６】
本発明の第２の態様にかかる長尺柔構造物のシミュレーションシステムは、本発明の第１の態様にかかる長尺柔構造物のシミュレーションシステムにおいて、前記初期形状手段は、絶対座標で表された前記固定条件情報を満足するように、連続的な曲線を形成することで前記初期形状を規定することを特徴とする。
【００１７】
これにより、接線連続な形状が初期形状から得られているので、不連続な曲線に比べ、計算時間の短縮と計算精度の向上が見込まれる。
【００１８】
これにより、解析精度にばらつきがなく、安定した解析結果を得ることが可能である。即ち、解析精度や解析の収束性に大きく影響する初期形状を、ユーザのスキルにかかわらず、安定して算出することが可能である。
【００１９】
本発明の第３の態様にかかる長尺柔構造物のシミュレーションシステムは、本発明の第１または２の態様にかかる長尺柔構造物のシミュレーションシステムにおいて、前記節点の近似値は、収束計算にて算出することとし、２個の前記節点間に形成されるセグメント及びどちらか一方の前記節点を前記剛性値に基づいて複数個のグループに分類し、前記収束計算は、前記剛性値のより高い前記グループに属する前記節点の座標の収束条件を優先して近似値を算出する計算を、前回算出した近似値を次回の初期値として、複数回実行し、全ての前記グループに属する前記節点の収束条件を満足する近似値を算出することを特徴とする。
【００２０】
これにより、解析結果として、製品が成立しないような結果を避けることが可能である。即ち、実際の製品に近い、精度の良い解析結果を導き出すことが可能である。例えば、製品として考えられないようなねじれが生じないような解析結果を導き出すことが可能である。ここで、剛性値として、引っ張りや曲げに関する値の大きいグループの節点を優先的に算出する。
【００２１】
また、大変形に対応できる。即ち、曲げ等の変形の小さいところ（剛性値の大きいところ）から決定していくため、より収束性が良くなる。また、初期形状が悪い場合であっても、精度の良い解析結果を導き出すことが可能である。
【００２２】
本発明の第４の態様にかかる長尺柔構造物のシミュレーションシステムは、本発明の第３の態様にかかる長尺柔構造物のシミュレーションシステムにおいて、前記モデル解析手段は、前記長尺柔構造物を複数個のばねの集合体であると定義するばねモデルに基づいて、前記ばねを前記セグメントとし、前記ばねの両端を前記節点とし、複数本の前記長尺柔構造部材の接合部を分岐点とするとともに、前記節点を、前記分岐点、前記長尺柔構造物の前記剛性値の変化点、及び、前記長尺柔構造物における所定の間隔点であるしたとき、前記セグメントの張力、曲げモーメント力、ねじりモーメント力、及び当該セグメントにかかる外荷重の関係式と、前記分岐点にかかる曲げモーメント力及びねじりモーメント力の関係式とに基づいて、前記節点の近似値を算出することを特徴とする。
【００２３】
これにより、３次元空間上の長尺柔構造物の形態を解析する解析時間を短縮することが可能である。また、解析精度にばらつきがなく、安定した解析結果を得ることが可能である。また、各種応力解析値や捻り状態を設計検証することが可能になり、設計精度を向上させることが可能である。
【００２４】
本発明の第１の態様にかかる長尺柔構造物のシミュレーション方法は、２次元空間上に展開された、長尺柔構造部材及び複数本の前記長尺柔構造部材の組合せ部材である長尺柔構造物を、使用空間である３次元空間上に復元する長尺柔構造物のシミュレーション方法であって、（ａ）前記長尺柔構造物の固定点における固定条件情報を取得し、取得した前記固定条件情報に基づいて、初期形状を算出する初期形状算出工程と、（ｂ）前記長尺柔構造物の剛性値を取得し、取得した前記剛性値を所定の記憶部に設定する剛性設定工程と、（ｃ）３次元空間上に復元されたときの前記長尺柔構造物の境界条件情報を取得し、取得した前記境界条件情報を所定の前記記憶部に設定する境界条件設定工程と、（ｄ）前記初期形状算出工程（ａ）により算出された前記初期形状、前記剛性設定工程（ｂ）により設定された前記剛性値、及び、前記境界条件設定工程（ｃ）により設定された前記境界条件情報に基づいて、複数の節点と前記節点の一部を構成する固定点とを用いて解析を行う絶対節点座標法を利用した解析モデルにより、前記３次元空間上の前記長尺柔構造物の応力が最小となる形状を算出するとともに、算出された形状の応力分布、トルク、ねじれ状況、及び部品反力値を算出するモデル解析工程と、（ｅ）前記モデル解析工程（ｄ）によって算出された３次元空間上の前記長尺柔構造物の形状、応力分布、トルク、ねじれ状況、及び部品反力値を出力する出力工程と、を備えていることを特徴とする。
【００２５】
これにより、上述した本発明の第１の態様にかかるシミュレーションシステムと同等の効果が得られる。
【００２６】
本発明の第２の態様にかかる長尺柔構造物のシミュレーション方法は、本発明の第１の態様にかかる長尺柔構造物のシミュレーション方法において、前記初期形状工程（ａ）は、絶対座標で表された前記固定条件情報を満足するように、連続的な曲線を形成することで前記初期形状を規定することを特徴とする。
【００２７】
これにより、上述した本発明の第２の態様にかかるシミュレーションシステムと同等の効果が得られる。
【００２８】
本発明の第３の態様にかかる長尺柔構造物のシミュレーション方法は、本発明の第１または２の態様にかかる長尺柔構造物のシミュレーション方法において、前記節点の近似値は、収束計算にて算出することとし、２個の前記節点間に形成されるセグメント及びどちらか一方の前記節点を、前記剛性値に基づいて複数個のグループに分類し、前記収束計算は、前記剛性値のより高い前記グループに属する前記節点の座標の収束条件を優先して近似値を算出する計算を、前回算出した近似値を次回の初期値として、複数回実行し、全ての前記グループに属する前記節点の座標の収束条件を満足する近似値を算出することを特徴とする。
【００２９】
これにより、上述した本発明の第３の態様にかかるシミュレーションシステムと同等の効果が得られる。
【００３０】
本発明の第４の態様にかかる長尺柔構造物のシミュレーション方法は、本発明の第３から第５のいずれか１つの態様にかかる長尺柔構造物のシミュレーション方法において、前記モデル解析工程（ｄ）は、前記長尺柔構造物を複数個のばねの集合体であると定義するばねモデルに基づいて、前記ばねを前記セグメントとし、前記ばねの両端を前記節点とし、複数本の前記長尺柔構造部材の接合部を分岐点とするとともに、前記節点を、前記分岐点、前記長尺柔構造物の前記剛性値の変化点、及び、前記長尺柔構造物における所定の間隔点であるとしたとき、前記セグメントの張力、曲げモーメント力、ねじりモーメント力、及び当該セグメントにかかる外荷重の関係式と、前記分岐点にかかる曲げモーメント力及びねじりモーメント力の関係式とに基づいて、前記節点の近似値を算出することを特徴とする。
【００３１】
これにより、上述した本発明の第４の態様にかかるシミュレーションシステムと同等の効果が得られる。
【００３２】
本発明の第１の態様にかかるプログラムは、２次元空間上に展開された、長尺柔構造部材及び複数本の前記長尺柔構造部材の組合せ部材である長尺柔構造物を、使用空間である３次元空間上に復元する長尺柔構造物のシミュレーション処理を、コンピュータに実行させるプログラムであって、上述した本発明の第１から４のいずれか1つの態様にかかる長尺柔構造物のシミュレーションシステムの各手段を実現させる処理を前記コンピュータに実行させることを特徴とする。
【００３３】
このような構成であれば、コンピュータによってプログラムが読み取られ、読み取られたプログラムによって、コンピュータが処理を実行すると、上述した本発明の第１から第４のいずれか１つの態様にかかる長尺柔構造物のシミュレーションシステムと同等の作用及び効果が得られる。
【００３４】
本発明の第１の態様にかかる情報記録媒体は、２次元空間上に展開された、長尺柔構造部材及び複数本の前記長尺柔構造部材の組合せ部材である長尺柔構造物を、使用空間である３次元空間上に復元する長尺柔構造物のシミュレーション処理を、コンピュータに実行させるプログラムを記録した情報記録媒体であって、上述した本発明の第１から４のいずれか1つの態様にかかる長尺柔構造物のシミュレーションシステムの各手段を前記コンピュータに実行させることを特徴とするプログラムを記録する。
【００３５】
ここで、情報記録媒体とは、ＲＡＭ、ＲＯＭ等の半導体記録媒体、ＦＤ、ＨＤ等の磁気記憶型記録媒体、ＣＤ、ＣＤＶ、ＬＤ、ＤＶＤ等の光学的読取方式記録媒体、ＭＯ等の磁気記憶型／光学的読取方式記録媒体であって、電子的、磁気的、光学等の読み取り方法のいかんにかかわらず、コンピュータによって読み取り可能な情報記録媒体であれば、あらゆる情報記録媒体を含むものである。
【発明の効果】
【００３６】
本発明によれば、３次元空間上の長尺柔構造物の形態を解析する解析時間を短縮することが可能である。また、解析精度にばらつきがなく、安定した解析結果を得ることが可能である。従って、長尺柔構造物（例えば、ワイヤーハーネス）の設計において、試作を実行せずに、製品成立性の検証を実行することが可能である。
【００３７】
また、試作製品に対する測定が難しかった、各種応力解析値や捻り状態を設計検証することが可能になり、設計精度を向上させることが可能である。また、長尺柔構造物の設計工数を短縮することが可能であり、それによる設計コストを削減することが可能である。
【００３８】
また、大変形に対応できる。即ち、曲げ等の変形の小さいところ（剛性値の大きいところ）から決定していくため、より収束性が良くなる。また、初期形状が悪い場合であっても、精度の良い解析結果を導き出すことが可能である。
【発明を実施するための最良の形態】
【００３９】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なもので置換した実施態様を採用することが可能であるが、これらの実施態様も本発明の範囲に含まれる。
【００４０】
まず、本発明に適用可能な長尺柔構造物のシミュレーションシステムの概要を説明する。図１は、本発明に適用可能な長尺柔構造物のシミュレーションシステムの概要を説明するための図である。図２は、本発明に適用可能な長尺柔構造物のシミュレーションシステムのシステム構成の一例を示す図である。ここでは、長尺柔構造物としてワイヤーハーネスを例に挙げて、以下説明する。
【００４１】
ワイヤーハーネスは、製造されるとき、平面（アッシー板）上で作製される。一方、実際に、ワイヤーハーネスは、車両や各種電気製品などの各種装置に装着されて使用される。そこで、図１に示したように、２次元空間上に展開されたワイヤーハーネスの形態（図中（１））から、各種装置に装着されたときの３次元空間上のワイヤーハーネスの形状を算出し、３次元ＣＡＤモデルを自動作製する（図中（２））。即ち、本シミュレーションシステムは、２次元のワイヤーハーネスの形態を３次元のワイヤーハーネスの形態に変換するシステムである。
【００４２】
図２に示すように、シミュレーションシステム１０は、初期形状算出部１１、剛性設定部１２、境界条件設定部１３、モデル解析部１４、解析結果出力部１５、顧客設計用３次元情報記憶部１６、２次元製造用情報記憶部１７、及び解析用記憶部１８を備えている。
【００４３】
初期形状算出部１１は、ワイヤーハーネスの固定条件情報を、顧客設計用３次元情報記憶部１６から取得し、取得した固定条件情報を満足するように、連続的な曲線を形成することでワイヤーハーネスの初期形状を算出する。算出した初期形状の情報を解析用記憶部１８に格納する。ここで、固定条件情報とは、ワイヤーハーネスを装着する各種装置の設計において、顧客から提供された顧客設計用３次元情報に含まれており、ワイヤーハーネスにおけるコネクタやクリップ等の位置を示す固定点、コネクタによって接続されたケーブルやバンドル等の方向等を示す固定方向、及びケーブルやバンドル等のハーネス長である。また、連続的な曲線としてスプライン関数を利用する。尚、顧客設計用３次元情報は、顧客設計用３次元情報記憶部１６に記憶されている。
【００４４】
図３は、初期形状を説明するための図である。図３に示すように、顧客設計用３次元情報記憶部１６から取得した固定条件情報を可視化した情報取得状態（図中（１））から、初期形状（図中（２））を算出する。情報取得状態（図中（１））において、取得した固定条件情報として、固定点を黒丸で、固定方向を矢印で、接続される仮のハーネスを点線で表す。仮のハーネスはハーネス長が既知である。固定点、固定方向及びハーネス長に基づいて、スプライン関数を利用して、滑らかなハーネスの曲線を算出したものが初期形状である。
【００４５】
図２に戻り、剛性設定部１２は、２次元空間上に展開されたワイヤーハーネスの各種情報が格納されている２次元製造用情報記憶部１７から、ワイヤーハーネスの剛性値を取得し、解析用記憶部１８に設定する。剛性値は、引っ張り、曲げ、及びねじりを表す値であり、ケーブルやバンドル等のハーネス毎に異なり、さらにハーネスの電線構成及び外装により異なる値である。ハーネスの電線構成は、電線の種類、材料、径等により異なり、外装は、チューブ、シート、テープ等により異なる。また、剛性値は、実験値と理論値の両方を考慮して推定した値である。
【００４６】
境界条件設定部１３は、３次元空間上に復元されたときのワイヤーハーネスの境界条件情報を客設計用３次元情報記憶部１６から取得し、解析用記憶部１８に設定する。境界条件情報は、３次元空間上に復元されたときに動いてはいけない位置等の情報である。例えば、コネクタの位置、アンカーの位置、コネクタとバンドルの接続点位置、バンドルの方向等である。
【００４７】
モデル解析部１４は、初期形状算出部１１によって算出された初期形状の情報、剛性設定部１２によって設定された剛性値、及び境界条件設定部１３によって設定された境界条件情報に基づいて、複数の節点と前記節点の一部を構成する固定点とを用いて解析を行う絶対節点座標法を利用した解析モデルにより、ワイヤーハーネスが各種装置に装着されたときの応力が最小となるような形状を算出する。また、同時に、算出されたワイヤーハーネスの形状の応力分布、トルク、ねじれ状況、及び部品反力値を算出する。解析モデルは、ワイヤーハーネスを複数個のばねの集合体であると仮定したばねモデルに基づいた解析である。また、算出した結果及び途中結果を解析用記憶部１８に格納する。尚、節点の定義については、後述の図４において説明する。
【００４８】
解析結果出力部１５は、解析モデルに基づいて算出された、ワイヤーハーネスの形状、応力分布、トルク、ねじれ状況、及び部品反力値を解析用記憶部１８から取得し、３次元ＣＡＤモデルを作製し、モニタ等に表示する。また、異常結果が算出されたときには、異常をユーザに知らせるため、警告表示したり、警告音を発したり等の処理を実行する。
【００４９】
次に、上述した絶対節点座標法を利用した解析モデルの概要を図４から図６を参照して説明する。
【００５０】
図４は、ワイヤーハーネスのばねモデル化を説明するための図である。図５は、分岐なしのセグメントを支配する関係式を説明するための図である。図６は、分岐点におけるモーメント力を説明するための図である。
【００５１】
ばねモデルは、ワイヤーハーネスが有限個の小さなばねの集合体であり、この有限個のばねが、ばねの端点のみでお互い連結されて、ワイヤーハーネスを形成していると仮定した時の解析方法である。
【００５２】
まず、図４に示したように、ハーネス２０を、各セグメント２１に分割する。ここで、セグメント２１の両端点を節点２２と呼ぶ。ここで、ワイヤーハーネスの分岐点、ワイヤーハーネスの剛性値の変化点、及び、同一剛性値のハーネスにおける所定の間隔点が節点２２となるようにセグメント２１を分割する。
【００５３】
次に、図５に示したように、それぞれのセグメントｅ（２１）が伸び縮みするばねであると仮定したばねモデルに基づいて、各セグメントｅ（２１）にかかる、張力、曲げモーメント力、ねじりモーメント力及び該セグメントｅ（２１）にかかる外荷重についての支配方程式を作成する。ここで、セグメントｅ（２１）の両端点である節点を節点ｉ（２２）と節点ｊ（２２）とし、各節点の座標を（ｘ、ｙ、ｚ）で表し、各節点のベクトルを（ｘ’、ｙ’、ｚ’）で表し、各節点のねじり角をαで表し、セグメントｅ（２１）のセグメント長をｌで表している。また、座標系は、３次元直交座標系を用い、Ｚ軸のマイナス方向を自重方向とする。
【００５４】
セグメントｅ（２１）の初期のセグメント長をｌ０としたとき、張力によるセグメントｅ（２１）にかかる力ＦＴ(ベクトル)は、下記の関係式で表される。
【００５５】
【数１】
2008234039.tif 000003
また、分岐なしの場合、セグメントｅ（２１）にかかるねじりモーメント力Ｆα(ベクトル)は、下記の関係式で表される。
【００５６】
【数２】
2008234039.tif 000004
また、分岐なしの場合、セグメントｅ（２１）にかかる曲げモーメント力ＦＭ(ベクトル)は、下記の関係式で表される。
【００５７】
【数３】
2008234039.tif 000005
また、節点ｉ（２２）にかかる荷重Ｗｉ(ベクトル)は、下記の関係式で表される。
【００５８】
【数４】
2008234039.tif 000006
以上のことから、セグメントｅ（２１）にかかるトータルの力Ｆ(ベクトル)は、下記の関係式で表される。
【００５９】
【数５】
2008234039.tif 000007
全てのセグメントｅ（２１）がバランスしていることから、トータルの力Ｆは０となり、下記の関係式を解くことにより、全ての節点（２２）の座標値が得られる。ここでは、収束計算方法としてニュートン・ラプソン法を用いて、全ての節点（２２）の座標値を算出する。
【００６０】
上述の関係式は、分岐なしの場合であったが、分岐がある場合、図６に示したように、分岐点にかかる外力としてのモーメント力を算出する。分岐点にかかるモーメント力の総量ＭＴｏｔａｌ(ベクトル)は、下記の関係式で表される。
【００６１】
【数６】
2008234039.tif 000008
分岐点において、全てのセグメントｅ（２１）がバランスしていることから、分岐点にかかるモーメント力の総量は０となることから、分岐点における外力としてのモーメント力Ｍｉ(ベクトル)及びＭαｉは、下記の関係式で表される。
【００６２】
【数７】
2008234039.tif 000009
従って、分岐がある場合、式（７）の分岐点における外力としてのモーメント力Ｍｉ(ベクトル)及びＭαｉを式（５）の右辺に加算した方程式により、ニュートン・ラプソン法を用いて、全ての節点（２２）の座標値を算出する。
【００６３】
次に、ワイヤーハーネスの解析処理手順を図７及び図８を参照して説明する。
【００６４】
図７は、ワイヤーハーネスの解析処理手順を示すフローチャートの一例である。図７に示すように、まず、ワイヤーハーネスの固定条件情報を、顧客設計用３次元情報記憶部１６から取得し、取得した固定条件情報を満足するように、連続的な曲線を形成することでワイヤーハーネスの初期形状を算出する（Ｓ１０１）。ここでは、連続的な曲線としてスプライン関数を利用する。
【００６５】
次に、２次元空間上に展開されたワイヤーハーネスの各種情報が格納されている２次元製造用情報記憶部１７から、ワイヤーハーネスの剛性値を取得し、解析用記憶部１８に設定する（Ｓ１０３）。次に、３次元空間上に復元されたときのワイヤーハーネスの境界条件情報を客設計用３次元情報記憶部１６から取得し、解析用記憶部１８に設定する（Ｓ１０５）。
【００６６】
次に、初期形状の情報、剛性値、及び境界条件情報に基づいて、絶対節点座標法を利用した解析モデルにより、ワイヤーハーネスが各種装置に装着されたときの応力が最小となるような形状、応力分布、トルク、ねじれ状況、及び部品反力値を算出する（Ｓ１０７）。次に、算出した結果が正常な解析結果であるか否かを判定し（Ｓ１０９）、正常な解析結果である場合（Ｓ１０９；Ｙｅｓ）は、解析結果に基づいて、３次元ＣＡＤモデルを作製し、モニタ等に表示出力して（Ｓ１１１）、解析処理を終了する。
【００６７】
一方、異常な解析結果である場合（Ｓ１０９；Ｎｏ）は、警告表示をモニタ等に表示出力したり、警告音を発したり等の異常結果処理を実行して（Ｓ１１３）、解析処理を終了する。ここで、異常な解析結果である場合は、２次元空間上に展開されたワイヤーハーネスの各種情報を変更して、正常な解析結果が算出されるまで、処理を繰り返す。また、例えば、顧客から提供された顧客設計用３次元情報に含まれている固定条件情報や境界条件情報を、顧客に対して変更してもらうように提案する。
【００６８】
図１１は、解析結果を表示出力した画面の一例を示した図である。図１１は、部品による拘束条件を反映した上での３次元空間におけるワイヤーハーネスの形状のばらつきを算出した結果を示した図である。
【００６９】
次に、上述の図７のステップＳ１０７のモデル解析計算処理を説明する。図８は、図７のステップＳ１０７のモデル解析計算処理のフローチャートの一例である。図８に示すように、まず、予め、２個の節点間に形成されるセグメント及びどちらか一方の節点を剛性値により、Ｎ個のグループに分類しておく。ここで、第ｉ剛性基準値以上でかつ第（ｉ−１）剛性基準値未満の剛性値であるセグメント及びその節点の属するグループを第ｉグループとする。ｉは１からＮである。また、第０剛性基準値は無限大、第Ｎ剛性基準値は０とする。
【００７０】
まず、ワイヤーハーネスをばねモデル化した各セグメント及び各節点を取り出すとともに初期値（ｉ＝１）をセットする（Ｓ２０１）。第ｉ剛性基準値及び第（ｉ−１）剛性基準値に、第１剛性基準値及び第０剛性基準値を設定する。次に、取り出した節点について、上述の図４から図６において説明した方程式を利用して、ニュートン・ラプソン法により、節点の座標値を算出する（Ｓ２０３）。次に、ステップＳ２０３において、節点の座標値として正常な値を算出したか否かを判定する（Ｓ２０５）。ここで、正常な値とは、収束した値のことである。
【００７１】
正常な値を算出した場合（Ｓ２０５；Ｙｅｓ）は、次にステップＳ２０７に移行する。一方、異常な値である場合（Ｓ２０５；Ｎｏ）は、第１グループから第ｉグループまでのグループに属した節点であるか否かを判定する（Ｓ２０９）。ここで、第１グループから第ｉグループまでのグループとは、第ｉ剛性基準値以上の剛性値であるセグメント及びその節点の属する全てグループである。
【００７２】
第１グループから第ｉグループまでのグループに属した節点である場合（Ｓ２０９；Ｙｅｓ）は、ステップＳ２０３に戻り、初期値を変更して正常な座標値を算出するまで、繰り返す。ここで、また、第（ｉ＋１）グループから第Ｎグループまでのグループに属した節点である場合（Ｓ２０９；Ｎｏ）は、次にステップＳ２０７に移行する。ここで、第（ｉ＋１）グループから第Ｎグループまでのグループとは、第ｉ剛性基準値未満の剛性値であるセグメント及びその節点の属する全てのグループである。
【００７３】
次に、全ての節点について、座標値を算出したか否かを判定し（Ｓ２０７）、座標値を算出していない節点が存在する場合（Ｓ２０７；Ｎｏ）は、ステップＳ２０１に戻り、次の節点を取り出す。一方、全ての節点について、座標値を算出した場合（Ｓ２０７；Ｙｅｓ）は、算出した節点の座標値の中に、異常な値が存在するか否かを判定する（Ｓ２１１）。即ち、ステップＳ２０９において、第（ｉ＋１）グループから第Ｎグループまでのグループに属した節点であると判定された節点が存在するか否かを判定する。異常な値が存在する場合（Ｓ２１１；Ｙｅｓ）は、iを１だけカウントアップして（ｉ＝ｉ＋１）、算出した結果を初期値として（Ｓ２１３）、ステップＳ２０１に戻り、ステップＳ２０１からステップＳ２１１の処理を繰り返す。異常な値が存在しない場合（Ｓ２１１；Ｎｏ）は、処理を終了する。
【００７４】
上述したように、２個の節点間に形成されるセグメント及びどちらか一方の節点を、剛性値に基づいて複数個のグループに分類し、収束計算は、剛性値のより高いグループに属する節点の座標の収束条件を優先して近似値を算出する（上述のステップＳ２０１〜Ｓ２０９）。また、その近似値は、前回算出した近似値を次回の初期値として、複数回実行し、全てのグループに属する節点の座標の収束条件を満足させるように算出する（上述のステップＳ２１１及びＳ２１３）。
【００７５】
これにより、解析結果として、製品が成立しないような結果を避けることが可能である。例えば、製品として考えられないようなねじれが生じないような解析結果を導き出すことが可能である。
【００７６】
次に、上述した本発明に適用可能なワイヤーハーネスのシミュレーションシステムを使用した解析結果の精度について図９及び図１０を参照して説明する。
【００７７】
図９は、自重を考慮した解析結果の精度を説明するための図である。また、図１０は、ねじれを考慮した解析結果の精度を説明するための図である。図１０（ａ）は、分岐点無しの場合の解析結果であり、図１０（ｂ）は、分岐点有りの場合の解析結果である。
【００７８】
図９に示したように、自重を考慮して解析した結果と汎用ソフトの結果とを比較しても、各節点におけるたわみ量は、ほぼ同じ値となっている。ここで、汎用ソフトとは、一般の解析に使用されている精度の良い解析ソフト（例えば、ＭＳＣ．Ｍａｒｃ）である。また、図１０に示したように、ねじれを考慮して解析した結果、分岐なしの場合及び分岐ありの場合において、汎用ソフトの結果と比較しても各節点におけるねじり角は、ほぼ同じ値となっている。以上のことから、短時間で、精度の良い解析結果を得ることができる。
【００７９】
上述の実施の形態のシミュレーションシステム１０において、初期形状算出部１１は、本発明の初期形状算出手段及び初期形状算出工程に対応し、剛性設定部１２は本発明の剛性設定手段及び剛性設定工程に対応し、境界条件設定部１３は本発明の境界条件設定手段及び境界条件設定工程に対応し、モデル解析部１４は本発明のモデル解析手段及びモデル解析工程に対応し、解析結果出力部１５は本発明の出力手段及び出力工程に対応する。
【００８０】
また、上述の初期形状算出部１１では、スプライン関数を利用して初期形状を算出しているが、本発明の初期形状算出手段においては、スプライン関数により初期形状を算出するものに限らず、例えば、ベジエ曲線のような他の曲線で表現しても良い。また、収束計算方法として、ニュートン・ラプソン法を用いているが、他の収束計算方法を用いても良い。
【図面の簡単な説明】
【００８１】
【図１】本発明に適用可能な長尺柔構造物のシミュレーションシステムの概要を説明するための図である。
【図２】本発明に適用可能な長尺柔構造物のシミュレーションシステムのシステム構成の一例を示す図である。
【図３】初期形状を説明するための図である。
【図４】ワイヤーハーネスのばねモデル化を説明するための図である
【図５】分岐なしのセグメントを支配する関係式を説明するための図である。
【図６】分岐点におけるモーメント力を説明するための図である。
【図７】ワイヤーハーネスの解析処理手順を示すフローチャートの一例である。
【図８】図７のステップＳ１０７のモデル解析計算処理のフローチャートの一例である。
【図９】自重を考慮した解析結果の精度を説明するための図である。
【図１０】ねじれを考慮した解析結果の精度を説明するための図である。
【図１１】解析結果を表示出力した画面の一例を示した図である。
【符号の説明】
【００８２】
１０    シミュレーションシステム
１１    初期形状算出部
１２    剛性設定部
１３    境界条件設定部
１４    モデル解析部
１５    解析結果出力部
１６    顧客設計用３次元情報記憶部
１７    ２次元製造用情報記憶部
１８    解析用記憶部
【図１】
2008234039.tif 000010
【図２】
2008234039.tif 000011
【図３】
2008234039.tif 000012
【図４】
2008234039.tif 000013
【図５】
2008234039.tif 000014
【図６】
2008234039.tif 000015
【図７】
2008234039.tif 000016
【図８】
2008234039.tif 000017
【図９】
2008234039.tif 000018
【図１０】
2008234039.tif 000019
【図１１】
2008234039.tif 000020